(57)【要約】【課題】共通する移動経路を移動する複数の移動体と制御基板との間を電気的に接続するケーブルにかかる負荷変動を緩和することができるケーブル固定構造及び記録材処理装置を提供する。【解決手段】筐体に設けられた移動経路に沿って往復移動可能な第１移動体と筐体外に設けられた制御基板とを接続する第１ケーブルと、移動経路の一部に沿って往復移動可能な第２移動体と制御基板とを接続する第２ケーブルと、を備え、第１ケーブル及び第２ケーブルを第１移動体及び第２移動体から移動経路に対してそれぞれ異なる方向に引き出して制御基板に接続する。【選択図】図５
2020031163.tif 000002
【特許請求の範囲】
【請求項１】
筐体に設けられた移動経路に沿って往復移動可能な第１移動体と前記筐体外に設けられた制御基板とを接続する第１ケーブルと、
前記移動経路の一部に沿って往復移動可能な第２移動体と前記制御基板とを接続する第２ケーブルと、を備え、
前記第１ケーブル及び前記第２ケーブルを前記第１移動体及び第２移動体から前記移動経路に対してそれぞれ異なる方向に引き出して前記制御基板に接続する、
ことを特徴とするケーブル接続構造。
【請求項２】
前記第１ケーブル及び／又は前記第２ケーブルは、前記第１移動体及び／又は前記第２移動体と接続する接続部と、前記第１移動体及び／又は前記第２移動体から一旦、接続方向と交差する方向に折り曲げて固定される第１固定部と、前記接続部から前記第１固定部で固定された部分とは反対側に延びる部分であって前記第１ケーブル及び／又は前記第２ケーブルを弛ませた状態で固定する第２固定部と、で固定されている、
ことを特徴とする請求項１に記載のケーブル接続構造。
【請求項３】
前記第２ケーブルは、前記第２移動体との接続方向と交差する方向に折り曲げて前記移動経路に沿って往復移動する前記第１移動体から離間する方向に折り返すように引き出され、前記第２移動体からの引き出し位置で固定されている、
ことを特徴とする請求項２に記載のケーブル接続構造。
【請求項４】
前記第１ケーブルは、前記引き出し位置と前記制御基板との間で前記筐体に固定される固定位置との間に湾曲部を有し、前記湾曲部と前記移動経路の一部に沿って往復移動する前記第２移動体との間に間隙が形成される、
ことを特徴とする請求項２に記載のケーブル接続構造。
【請求項５】
前記移動経路は、前記第２移動体が往復移動する経路と往復移動しない経路との間に分岐部を有し、前記第１移動体が前記分岐部よりも前記第２移動体が往復移動しない前記移動経路の一端側に位置した際に、前記第１ケーブルは前記分岐部と前記移動経路の他端側で弛むように、前記第１移動体に固定される固定部を有する、
ことを特徴とする請求項２に記載のケーブル接続構造。
【請求項６】
前記移動経路を挟んで、前記引き出し位置側に前記第１移動体及び前記第２移動体に設けられたピニオンと噛み合って前記第１移動体及び前記第２移動体の移動を案内するラック歯が設けられている、
ことを特徴とする請求項１ないし５のいずれか１項に記載のケーブル接続構造。
【請求項７】
筐体に設けられた移動経路に沿って移動し記録材に第１綴じを施す第１綴じ手段と、
前記移動経路の一部に沿って移動し記録材に前記第１綴じとは異なる第２綴じを施す第２綴じ手段と、
請求項１ないし６のいずれか１項に記載のケーブル接続構造と、を備えた、
ことを特徴とする記録材処理装置。
【発明の詳細な説明】
【技術分野】
【０００１】
本発明は、記録材処理装置及び画像形成システムに関する。
【背景技術】
【０００２】
用紙束を綴じる複数の綴じ手段を備え、複数の綴じ手段をそれぞれ移動させて前記用紙束の複数の箇所に綴じ処理を施すことができる用紙処理装置において、複数の綴じ手段の少なくともひとつを選択し、選択した綴じ手段を前記用紙束の複数の箇所に綴じ処理できるように移動させる移動手段を備えた用紙処理装置が知られている（特許文献１）。
【０００３】
信号、電力などを伝送するケーブルの固定機構であって、フラットケーブルと、所定の折り目部で折り合わせ可能な絶縁性シートと、シートの折り合わせ面を接合して所定の接合部を形成する接合手段と、で構成され、シートの折り目部と接合部との少なくとも一つはフラットケーブルを規制する位置に配置されている伝送ケーブルの固定機構も知られている（特許文献２）。
【先行技術文献】
【特許文献】
【０００４】
【特許文献１】特開２０１５−１６６４０号公報
【特許文献２】特開２０１６−１２３２０８号公報
【発明の概要】
【発明が解決しようとする課題】
【０００５】
本発明は、共通する移動経路を移動する複数の移動体と制御基板との間を電気的に接続するケーブルにかかる負荷変動を緩和することができるケーブル固定構造及び記録材処理装置を提供する。
【課題を解決するための手段】
【０００６】
前記課題を解決するために、請求項１に記載のケーブル接続構造は、
筐体に設けられた移動経路に沿って往復移動可能な第１移動体と前記筐体外に設けられた制御基板とを接続する第１ケーブルと、
前記移動経路の一部に沿って往復移動可能な第２移動体と前記制御基板とを接続する第２ケーブルと、を備え、
前記第１ケーブル及び前記第２ケーブルを前記第１移動体及び第２移動体から前記移動経路に対してそれぞれ異なる方向に引き出して前記制御基板に接続する、
ことを特徴とする。
【０００７】
請求項２記載の発明は、請求項１に記載のケーブル接続構造において、
前記第１ケーブル及び／又は前記第２ケーブルは、前記第１移動体及び／又は前記第２移動体と接続する接続部と、前記第１移動体及び／又は前記第２移動体から一旦、接続方向と交差する方向に折り曲げて固定される第１固定部と、前記接続部から前記第１固定部で固定された部分とは反対側に延びる部分であって前記第１ケーブル及び／又は前記第２ケーブルを弛ませた状態で固定する第２固定部と、で固定されている、
ことを特徴とする。
【０００８】
請求項３記載の発明は、請求項１に記載のケーブル接続構造において、
前記第２ケーブルは、前記第２移動体との接続方向と交差する方向に折り曲げて前記移動経路に沿って往復移動する前記第１移動体から離間する方向に折り返すように引き出され、前記第２移動体からの引き出し位置で固定されている、
ことを特徴とする。
【０００９】
請求項４記載の発明は、請求項２に記載のケーブル接続構造において、
前記第１ケーブルは、前記引き出し位置と前記制御基板との間で前記筐体に固定される固定位置との間に湾曲部を有し、前記湾曲部と前記移動経路の一部に沿って往復移動する前記第２移動体との間に間隙が形成される、
ことを特徴とする。
【００１０】
請求項５記載の発明は、請求項２に記載のケーブル接続構造において、
前記移動経路は、前記第２移動体が往復移動する経路と往復移動しない経路との間に分岐部を有し、前記第１移動体が前記分岐部よりも前記第２移動体が往復移動しない前記移動経路の一端側に位置した際に、前記第１ケーブルは前記分岐部と前記移動経路の他端側で弛むように、前記第１移動体に固定される固定部を有する、
ことを特徴とする。
【００１１】
請求項６記載の発明は、請求項１ないし５のいずれか１項に記載のケーブル接続構造において、
前記移動経路を挟んで、前記引き出し位置側に前記第１移動体及び前記第２移動体に設けられたピニオンと噛み合って前記第１移動体及び前記第２移動体の移動を案内するラック歯が設けられている、
ことを特徴とする。
【００１２】
前記課題を解決するために、請求項７記載の記録材処理装置は、
筐体に設けられた移動経路に沿って移動し記録材に第１綴じを施す第１綴じ手段と、
前記移動経路の一部に沿って移動し記録材に前記第１綴じとは異なる第２綴じを施す第２綴じ手段と、
請求項１ないし６のいずれか１項に記載のケーブル接続構造と、を備えた、
ことを特徴とする。
【発明の効果】
【００１３】
請求項１に記載の発明によれば、共通する移動経路を移動する複数の移動体と制御基板との間を電気的に接続するケーブルにかかる負荷変動を緩和することができる。
【００１４】
請求項２に記載の発明によれば、ケーブルの移動体からの抜けを防止するとともに、ケーブルの接続部にかかる負荷を緩和することができる。
【００１５】
請求項３に記載の発明によれば、接続される制御基板に対する配置方向を第１移動体及び第２移動体で共通化することができる。
【００１６】
請求項４に記載の発明によれば、第１ケーブルと往復移動する第２移動体との接触を緩和することができる。
【００１７】
請求項５に記載の発明によれば、第１ケーブルと往復移動する第２移動体との接触を緩和することができる。
【００１８】
請求項６に記載の発明によれば、湾曲部において第１ケーブル及び第２ケーブルを安定して湾曲させることができる。
【００１９】
請求項７に記載の発明によれば、共通する移動経路を移動する第１綴じ手段及び第２綴じ手段と制御基板との間を電気的に接続するケーブルにかかる負荷変動を緩和することができる。
【図面の簡単な説明】
【００２０】
【図１】本実施形態に係る記録材処理装置が適用される画像形成システムを示す概略構成図である。
【図２】綴じ処理機構の全体構成を示す平面模式図である。
【図３】（ａ）はコンパイルトレイ周辺の構成を示す断面模式図、（ｂ）は平面模式図である。
【図４】綴じ処理機構の待機状態を示す平面模式図である。
【図５】綴じ処理機構の移動部側を示す底面模式図である。
【図６】針有り綴じ部の移動部を示す斜視図である。
【図７】針無し綴じ部の移動部を示す斜視図である。
【図８】（ａ）は針有り綴じ部が第１待機位置に位置している場合のＦＦＣの状態を示す図、（ｂ）は針有り綴じ部が第２待機位置に位置している場合のＦＦＣの状態を示す図である。
【図９】針有り綴じ部が共通路を直線移動する場合のＦＦＣの状態を示す図である。である。
【図１０】針無し綴じ部が共通路を移動する場合のＦＦＣの状態を示す図である。
【発明を実施するための形態】
【００２１】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００２２】
「第１実施形態」
（１）画像形成システムの全体構成及び動作
図１は本実施形態に係る記録材処理装置が適用される画像形成システム１００を示す概略構成図である。図１に示す画像形成システム１００は、電子写真方式によって画像を形成するプリンタや複写機等の画像形成装置１と、画像形成装置１によってトナー像が形成された用紙Ｐに後処理を施す記録材処理装置２とを備えている。以下、図面を参照しながら、画像形成システム１００の全体構成及び動作を説明する。
【００２３】
画像形成装置１は、画像形成部１０と、画像形成部１０の下部に装着された給紙装置２０と、操作表示部３０と、画像処理部４０と、システム制御装置５０と、を備えて構成され、プリント機能が実行されることにより、画像が用紙等の記録材上に印刷される。画像形成装置１の上面（Ｚ方向）には、搬送装置９０が配置され、画像が記録された記録材としての用紙Ｐが後処理装置２００へと導かれる。
【００２４】
画像形成部１０は、露光装置１２、感光体ユニット１３、現像装置１４、転写装置１５、定着装置１６、を備えて構成され、画像処理部４０から受け取った画像情報を給紙装置２０から送り込まれた用紙Ｐ上にトナー像として形成する。
【００２５】
画像形成部１０の底部には、用紙トレイ２１を有する給紙装置２０が設けられ、画像形成部１０に対する用紙供給を行う。
【００２６】
画像形成装置１の前面側には、ユーザーインターフェイスとしての操作表示部３０が配置されている。操作表示部３０は、液晶表示パネル、各種操作ボタン、タッチパネル等を組み合わせて構成され、画像形成装置１のユーザは、操作表示部３０を介して各種の設定や指示の入力を行う。また、液晶表示パネルを介して画像形成装置１の利用者へ各種情報を表示する。
【００２７】
画像処理部４０は、外部機器（デジタルカメラ、携帯端末、パーソナルコンピュータ等等）から取り込まれた印刷情報から画像データを生成するとともに、画像データに種々の画像処理を行う。
【００２８】
このような構成の画像形成装置１では、画像形成のタイミングに合わせて給紙装置２０から、印刷ジョブで指定された用紙Ｐが画像形成部１０へ送り込まれる。
【００２９】
感光体ユニット１３は、給紙装置２０の上方に、それぞれが並列して設けられ、回転駆動する感光体ドラム３１を備えている。露光装置１２により静電潜像が形成されたそれぞれの感光体ドラム３１上には、それぞれの現像装置１４によってイエロー（Ｙ）、マゼンタ（Ｍ）、シアン（Ｃ）、黒（Ｋ）のトナー像が形成される。
【００３０】
各感光体ユニット１３の感光体ドラム３１に形成された各色トナー像は、転写装置１５の中間転写ベルト５１上に順次静電転写（一次転写）され、各色トナーが重畳された重畳トナー像が形成される。中間転写ベルト５１上の重畳トナー像は、レジストローラ対２４から送り出され、搬送ガイドにより案内された用紙Ｐに二次転写ローラ５２によって一括転写される。  
【００３１】
定着装置１６は一対の加熱モジュール１６Ａと加圧モジュール１６Ｂの圧接領域によって定着ニップ部ＮＰ（定着領域）が形成される。
転写装置１５においてトナー像が一括転写された用紙は、トナー像が未定着の状態で搬送ガイドを介して定着装置１６の定着ニップ部ＮＰに搬送され、一対の加熱モジュール１６Ａと加圧モジュール１６Ｂにより、圧着と加熱の作用でトナー像が定着される。
【００３２】
定着トナー像が形成された用紙Ｐは、搬送ガイドによってガイドされ、排出ローラ対６９から画像形成部１０の上面に配置された搬送装置９０へ排出される。
【００３３】
（１．２）記録材処理装置の構成と動作
記録材処理装置２は、画像形成装置１から出力された用紙Ｐを更に下流側に搬送する搬送装置９０と、搬送装置９０から搬入された用紙Ｐに対して、用紙Ｐを揃えて束ねるコンパイルトレイ２１０や用紙Ｐの端部を綴じる綴じ処理機構（ステープラ）２２０、中綴じ折り処理を施して冊子を作製する中綴じ折り処理機構２３０などを含む後処理装置２００とを備えている。
【００３４】
搬送装置９０は、画像形成装置１の排出ローラ対６９を介して出力される用紙Ｐを受け取る入口ローラ９１と、この入口ローラ９１にて受け取られた用紙Ｐを下流側へと搬送する第１搬送ローラ９２と、後処理装置２００に向けて用紙Ｐを搬送する第２搬送ローラ９３とを有する。
【００３５】
記録材処理装置２は、搬送装置９０を介して用紙Ｐを受け取る受け取りローラ２０１の下流側に、記録材搬送部として、第１後処理搬送路Ｓ１、第２後処理搬送路Ｓ２、第３後処理搬送路Ｓ３、第４後処理搬送路Ｓ４を有し、第１後処理搬送路Ｓ１、第２後処理搬送路Ｓ２と第４後処理搬送路Ｓ４は切り替えゲートＧ１により選択されるようになっている。また、第１後処理搬送路Ｓ１と第２後処理搬送路Ｓ２は切り替えゲートＧ２によって選択される。
【００３６】
第１後処理搬送路Ｓ１は、トップトレイＴＲ１に接続されており、この第１後処理搬送路Ｓ１からは後処理がなされない用紙Ｐが排出される。
第２後処理搬送路Ｓ２は、下流側に設けられたコンパイルトレイ２１０に接続されており、綴じ処理機構２２０で作成された用紙束ＰＢがスタッカトレイＴＲ２に排出される。
第３後処理搬送路Ｓ３は、第２後処理搬送路Ｓ２の途中から分岐して設けられ、コンパイルトレイ２１０側から逆転搬送される用紙Ｐを一時的に保持する。
第４後処理搬送路Ｓ４は、中綴じ折り処理機構２３０に接続されおり、中綴じ折り処理機構２３０で作成された冊子が冊子トレイＴＲ３に排出される。
【００３７】
（２）綴じ処理機構
図２は綴じ処理機構２２０の全体構成を示す平面模式図、図３（ａ）はコンパイルトレイ２１０周辺の構成を示す断面模式図、（ｂ）は平面模式図、図４は綴じ処理機構２２０の待機状態を示す平面模式図、図５は綴じ処理機構２２０の移動部側を示す底面模式図である。
【００３８】
（２．１）綴じ処理機構の全体構成
綴じ処理機構２２０は、図２に示すように、コンパイルトレイ２１０で集積され束ねられた用紙束ＰＢに対して、ステープル（針）を用いて第１綴じ（針有り綴じ）を行う針有り綴じ部２２０Ａと、ステープル（針）を用いずに第２綴じ（針無し綴じ）を行う針無し綴じ部２２０Ｂとを備えている。そして、綴じ処理機構２２０は、印刷情報設定に応じて用紙束ＰＢに対する針有り綴じ処理及び針無し綴じ処理が選択可能になっている。
【００３９】
（２．２）コンパイルトレイ
コンパイルトレイ２１０は、用紙Ｐを積載する底部２１０ａの上面に沿って用紙Ｐが落下するよう傾斜して設けられ、図３に示すように、一端側には底部２１０ａに沿って落下する用紙Ｐの後端側の端部を揃えるよう配置されたエンドガイド２１０ｂを有する。
コンパイルトレイ２１０の上方にはパドル２１７が設けられている。パドル２１７は、図３の矢印方向に回転することで、第１の進行方向Ｆ１方向（図３中に図示）に沿って搬送された用紙Ｐを、コンパイルトレイ２１０上で第２の進行方向Ｆ２（図３中に図示）に押し込むよう構成されている。
【００４０】
コンパイルトレイ２１０の中間部には、用紙Ｐを幅方向に整列するタンパ２１８が第２の進行方向Ｆ２と交差する方向で、モータ（不図示）の駆動を受けて互いの距離が変化するように設けられている。
【００４１】
コンパイルトレイ２１０の先端側には、イジェクトローラ（用紙束搬送ローラ）２１３が設けられている。イジェクトローラ（用紙束搬送ローラ）２１３は、第１イジェクトローラ２１３ａと第２イジェクトローラ２１３ｂとからなる。
第１イジェクトローラ２１３ａは、モータ等（不図示）の駆動を受けて第２イジェクトローラ２１３ｂに対して進退可能に備えられている。第２イジェクトローラ２１３ｂは、コンパイルトレイ２１０の底部２１０ａの用紙Ｐが積載される面の裏面側に固定して配置されており、回転運動のみを行うよう備えられている。
そして、第１イジェクトローラ２１３ａが用紙Ｐに接触した状態で第２イジェクトローラ２１３ｂが回転駆動され、用紙束ＰＢを上昇させてスタッカトレイＴＲ２上へ搬送する。
【００４２】
（２．３）綴じ処理動作
図２、図４に示すように、綴じ処理機構２２０は、針有り綴じ部２２０Ａ及び針無し綴じ部２２０Ｂの移動を案内する移動経路としての案内部２２１を有し、針有り綴じ部２２０Ａ及び針無し綴じ部２２０Ｂは、移動経路の一端又は他端となるそれぞれの待機位置（ＨＰ１、ＨＰ２、ＨＰ３：図４参照）から案内部２２１に沿って移動して、用紙束ＰＢの所定の綴じ位置に綴じ処理をする。
【００４３】
案内部２２１は、支持板２２２の上面２２２ａに設けられた厚み方向に貫通する長孔であり、幅方向に延びる共通路２２１ａと、共通路２２１ａの一端に位置する分岐部２２１ｂと、分岐部２２１ｂを介して共通路２２１ａと連続する針無し路２２１ｃ及び針有り路２２１ｄを有している。
【００４４】
針有り綴じ部２２０Ａは、第１待機位置（ＨＰ１）及び第２待機位置（ＨＰ２）のいずれかに位置した状態から、分岐部２２１ｂを介して共通路２２１ａ及び針有り路２２１ｄとの間で移動可能になっている（図２中  矢印Ｄ１参照）。針無し綴じ部２２０Ｂは、第３待機位置（ＨＰ３）に位置した状態から、分岐部２２１ｂを介して共通路２２１ａ及び針無し路２２１ｃとの間で移動可能になっている（図２中  矢印Ｄ２参照）。
【００４５】
また、案内部２２１内には、複数箇所にアクチュエータＡＣ１〜ＡＣ５が配置され、針有り綴じ部２２０Ａ及び針無し綴じ部２２０Ｂに備えられたセンサＳＮＲ１、ＳＮＲ２がアクチュエータＡＣ１〜ＡＣ５と接触することで案内部２２１内における移動位置を検知するようになっている。
【００４６】
図５に示すように、支持板２２２の底面２２２ｂには、共通路２２１ａ、針無し路２２１ｃ及び２２１ｄに沿って針有り綴じ部２２０Ａ及び針無し綴じ部２２０Ｂの移動を案内する針有りラック歯２２３Ａ及び針無しラック歯２２３Ｂが設けられている。針有りラック歯２２３Ａ及び針無しラック歯２２３Ｂは、案内部２２１を挟んで敷設され、針有り綴じ部２２０Ａ及び針無し綴じ部２２０Ｂに設けられたピニオンＰＧ（図５中  破線で示す。  図６、図７参照）を案内部２２１に沿って移動させる。
【００４７】
綴じ処理機構２２０は、センサＳＮＲ１、ＳＮＲ２の検知情報に基づいて、このような案内部２２１における移動経路を切り替えることで、針有り綴じ部２２０Ａ及び針無し綴じ部２２０Ｂを待機位置（ＨＰ１、ＨＰ２、ＨＰ３）に誘導して、綴じ処理に応じて、針有り綴じ部２２０Ａ及び針無し綴じ部２２０Ｂが、案内部２２１内を所定の位置まで移動してそれぞれの綴じ処理が行われる。
【００４８】
具体的には、用紙束ＰＢを構成する用紙Ｐの枚数が予め定められた枚数を越える場合に、針有り綴じ部２２０Ａが第１綴じとしてステープル（針）を用いた針有り綴じを行い、枚数がこの予め定められた枚数以下の場合、針無し綴じ部２２０Ｂが第２綴じとしてステープル（針）を用いずに針無し綴じを行う。
【００４９】
（３）綴じ処理機構のケーブル接続構造
図６は針有り綴じ部２２０Ａの移動部２２３を示す斜視図、図７は針無し綴じ部２２０Ｂの移動部２２５を示す斜視図である。以下、図面を参照しながら綴じ処理機構２２０のケーブル接続構造について説明する。
（３．１）針有り綴じ部２２０Ａのケーブル接続構造
針有り綴じ部２２０Ａは、針有り綴じ部２２０Ａを綴じ処理指示に従って案内部２２１に沿って所定の綴じ位置に移動させる第１移動体としての移動部２２３を備えている。
移動部２２３は、図６に示すように、モータＭ１（図６に不図示  図５参照）で駆動されるピニオンＰＧと、所定の間隔で一対の案内ローラＧＲが設けられている。
【００５０】
案内ローラＧＲの外形Ｄは案内部２２１の溝幅Ｗよりも僅かに小さく形成され、案内部２２１の溝部に嵌り合って針有り綴じ部２２０Ａの案内部２２１内での移動を案内している。また、一対の案内ローラＧＲには鍔部ＦＲが設けられて、針有り綴じ部２２０Ａ及び針無し綴じ部２２０Ｂの案内部２２１内での傾きを抑制している。
【００５１】
移動部２２３は、針有り綴じ部２２０Ａの綴じ動作を制御する基板ＰＣＢ１を備えている。基板ＰＣＢ１は、第１ケーブルの一例としてのフレキシブルフラットケーブル（以下、「ＦＦＣ」という。図中破線で図示）で支持板２２２の外部に設けられた制御基板（不図示）と接続されている。針有り綴じ部２２０Ａへは、制御基板からＦＦＣ１を経由して綴じ処理動作のための信号が送られ、針有り綴じ部２２０Ｂからは、ＦＦＣ１を経由して制御基板へセンサＳＮＲ２の検知信号が送られる。
【００５２】
ＦＦＣ１は、一端側が基板ＰＣＢ１に接続部ＣＮ１で接続され、他端側は移動部２２３から引き出されて、図５に示すように筐体Ｆに複数の固定部２２４で固定されて敷設されるように引き回され筐体Ｆの一端から引き出されて制御基板へ接続されている。
図６に示すように、ＦＦＣ１は基板ＰＣＢ１にコネクタ接続された状態で接続方向（図６中  矢印Ｒ１参照）と交差（直交）する方向（図６中  矢印Ｒ２参照）に引き出され、移動部２２３の側面に沿って第１固定部２２４Ａで敷設に必要な長さで弛まないように固定されている。これにより、ＦＦＣ１の基板ＰＣＢ１からの抜けを防止するとともに、ＦＦＣ１の基板ＰＣＢ１との接続部ＣＮ１に掛かる負荷を緩和することができる。
【００５３】
このように一端側が移動部２２３の基板ＰＣＢ１に接続されたＦＦＣ１は、移動部２２３から引き出されて、図５に示すように、針有り綴じ部２２０Ａの案内部２２１内での移動に必要な長さを確保して弛ませた状態で筐体Ｆの第１側面Ｆａに沿って第２固定部２２４Ｂで固定されている。
そして、第２固定部２２４Ｂで筐体Ｆの第１側面Ｆａに沿って固定されたＦＦＣ１は、上方に略９０度折り曲げられて、その内部を針無し綴じ部２２０Ａ及び針有り綴じ部２２０Ｂが通過するように、筐体Ｆの第１側面Ｆａから立ち上がって第１側面Ｆａとは反対側の第２側面Ｆｂに向かってＦＦＣ１を導く第３固定部２２４Ｃに敷設されて制御基板側へ引き出されている。
【００５４】
（３．２）針無し綴じ部２２０Ｂのケーブル接続構造
針無し綴じ部２２０Ｂは、針無し綴じ部２２０Ｂを綴じ処理指示に従って案内部２２１に沿って所定の綴じ位置に移動させる第２移動体としての移動部２２５を備えている。
移動部２２５は、図７に示すように、モータＭ２（図７に不図示  図５参照）で駆動されるピニオンＰＧと、所定の間隔で一対の案内ローラＧＲが設けられている。
【００５５】
移動部２２５は、針無し綴じ部２２０Ｂの綴じ動作を制御する基板ＰＣＢ２を備えている。基板ＰＣＢ２は、第２ケーブルの一例としてのフレキシブルフラットケーブルＦＦＣ２（図７中  二点鎖線で示す。以下、ＦＦＣ２と記す）で支持板２２２の外部に設けられた制御基板（不図示）と接続されている。針無し綴じ部２２０Ｂへは、制御基板からＦＦＣ２を経由して綴じ処理動作のための信号が送られ、針有り綴じ部２２０Ａからは、ＦＦＣ２を経由して制御基板へセンサＳＮＲ１の検知信号が送られる。
【００５６】
ＦＦＣ２は、一端側が基板ＰＣＢ２に接続部ＣＮ２で接続され、他端側は移動部２２５から引き出されて、図５に示すように筐体Ｆに固定部２２６で敷設されるように固定されて筐体Ｆの一端から引き出され制御基板へ接続されている。
図７に示すように、ＦＦＣ２は基板ＰＣＢ２にコネクタ接続された状態で接続方向（図７中  矢印Ｒ３参照）と交差（直交）する方向（図７中  矢印Ｒ４参照）に引き出され、移動部２２５の側面に沿って第１固定部２２４Ａで敷設に必要な長さで弛まないように固定されている。これにより、ＦＦＣ２の基板ＰＣＢ２からの抜けを防止するとともに、ＦＦＣ２の基板ＰＣＢ２との接続部に掛かる負荷を緩和することができる。
【００５７】
このように一端側が移動部２２５の基板ＰＣＢ２に接続されたＦＦＣ２は、図７に示すように、移動部２２５の側面に沿って第１固定部２２４Ａで固定された状態で、基板ＰＣＢ２側に折り返されて（図７中  矢印Ｒ５参照）移動部２２５から引き出されている。移動部２２５から折り返されて引き出されたＦＦＣ２は、図５に示すように、針無し綴じ部２２０Ｂの案内部２２１内での移動に必要な長さを確保して弛ませた状態で筐体Ｆの第２側面Ｆｂに第４固定部２２４Ｄで固定され、筐体Ｆから制御基板側へ引き出されている。
これにより、ＦＦＣ２は、ＦＦＣ１との比較においては、互いに異なる引き回しであるために、針有り綴じ部２２０Ａの基板ＰＣＢ１と針無し綴じ部２２０Ｂの基板ＰＣＢ２の位置が案内部２２１において同一方向であっても、ＦＦＣ１及びＦＦＣ２は案内部２２１を挟んで互いに反対側でループを形成して敷設され、ＦＦＣ１とＦＦＣ２の干渉を防止している。
【００５８】
このように、針有り綴じ部２２０Ａの移動部２２３に接続されるＦＦＣ１と針無し綴じ部２２０Ｂの移動部２２５に接続されるＦＦＣ２は、それぞれ案内部２２１を挟んで筐体Ｆの相対する第１側面Ｆａ及び第２側面Ｆｂにそれぞれ移動に必要な長さを確保して弛ませた状態で第２固定部２２４Ｂ及び第４固定部２２４Ｄで固定されている。
これにより、案内部２２１の共通する移動経路である共通路２２１ａを移動する針有り綴じ部２２０Ａ及び針無し綴じ部２２０Ｂが移動する際のＦＦＣ１及びＦＦＣ２に掛かる負荷を緩和することができる。
【００５９】
（３．３）針有り綴じ部の移動
図８（ａ）は針有り綴じ部２２０Ａが第１待機位置（ＨＰ１）に位置している場合のＦＦＣ１の状態を示す図、（ｂ）は針有り綴じ部２２０Ａが第２待機位置（ＨＰ２）に位置している場合のＦＦＣ１の状態を示す図である。
針有り綴じ部２２０Ａが第１待機位置（ＨＰ１）に位置している場合、図８（ａ）に示すように、ＦＦＣ１は第１固定部２２４Ａで移動部２２３の側面に固定された状態で引き出されて第２固定部２２４Ｂとの間で第２待機位置（ＨＰ２）までの移動に必要な長さで弛みを有して敷設されている。係る状態では、ＦＦＣ１は共通路２２１ａに架かることはなく、共通路２２１ａ内における針無し綴じ部２２０Ｂの移動を阻害することがない。
【００６０】
針有り綴じ部２２０Ａが第２待機位置（ＨＰ２）に位置している場合、図８（ｂ）に示すように、ＦＦＣ１は第１固定部２２４Ａで移動部２２３の側面に固定された状態で引き出されて第２固定部２２４Ｂとの間で第１待機位置（ＨＰ１）までの移動に必要な長さを有して敷設されている（弛み削除）。係る状態では、ＦＦＣ１は共通路２２１ａに架かることはなく、針無し綴じ部２２０Ｂが共通路２２１ａを移動しても針無し綴じ部２２０Ｂとは間隙を有し、共通路２２１ａ内における針無し綴じ部２２０Ｂの移動を阻害することがない。
【００６１】
図９は針有り綴じ部２２０Ａが共通路２２１ａを直線移動する場合のＦＦＣ１の状態を示す図である。
針有り綴じ部２２０Ａが綴じ処理設定に従って第１待機位置（ＨＰ１）から共通路２２１ａを所定の綴じ位置に移動する場合、図９（ａ）に示すように、ＦＦＣ１は第１固定部２２４Ａで移動部２２３の側面に固定された状態で移動方向に引き出されて第２固定部２２４Ｂとの間で湾曲部の一態様としてのループを形成する。
係る状態では、ＦＦＣ１は移動部２２３の側面に第１固定部２２４Ａで固定された状態で、引き出された部分のみが第２固定部２２４Ｂとの間で形成される湾曲部としてのループが移動に伴ってその湾曲形状を変化させることになる。そのために、ＦＦＣ１の基板ＰＣＢ１からの抜けを防止するとともに、ＦＦＣ１の基板ＰＣＢ１との接続部ＣＮ１に掛かる負荷を緩和することができる。
【００６２】
針有り綴じ部２２０Ａが第２固定部２２４Ｂを超えてさらに共通路２２１ａを所定の綴じ位置に移動する場合、図９（ｂ）に示すように、ＦＦＣ１は第１固定部２２４Ａで移動部２２３の側面に固定された状態で引き出し方向が変わって移動方向と反対方向に引き出されて第２固定部２２４Ｂとの間で湾曲部の他の態様としてのループを形成する。
係る状態では、ＦＦＣ１は移動部２２３の側面に第１固定部２２４Ａで固定され、引き出された部分のみが第２固定部２２４Ｂとの間で形成される湾曲部としてのループが移動に伴ってその湾曲形状を変化させることになる。そのために、ＦＦＣ１の基板ＰＣＢ１からの抜けを防止するとともに、ＦＦＣ１の基板ＰＣＢ１との接続部ＣＮ１に掛かる負荷を緩和することができる。
【００６３】
（３．４）針無し綴じ部の移動
図１０は針無し綴じ部２２０Ｂが共通路２２１ａを移動する場合のＦＦＣ１の状態を示す図である。
針無し綴じ部２２０Ｂが綴じ処理設定に従って第３待機位置（ＨＰ３）から共通路２２１ａを所定の綴じ位置に移動する場合、針有り綴じ部２２０Ａは第１待機位置（ＨＰ１）に位置し、図１０（ａ）に示すように、ＦＦＣ１は第１固定部２２４Ａで移動部２２３の側面に固定された状態で引き出されて第２固定部２２４Ｂとの間で弛みを有して敷設されている。係る状態では、ＦＦＣ１は共通路２２１ａに架かることはなく、針無し綴じ部２２０Ｂとは間隙を有し、共通路２２１ａ内における針無し綴じ部２２０Ｂの移動を阻害することがない。
【００６４】
また、針無し綴じ部２２０Ｂが綴じ処理設定に従って第３待機位置（ＨＰ３）から共通路２２１ａを所定の綴じ位置に移動する場合、針有り綴じ部２２０Ａは第２待機位置（ＨＰ２）に位置し、図１０（ｂ）に示すように、ＦＦＣ１は第１固定部２２４Ａで移動部２２３の側面に固定された状態で引き出されて第２固定部２２４Ｂとの間で第１待機位置（ＨＰ１）までの移動に必要な長さを有して敷設されている。係る状態では、ＦＦＣ１は共通路２２１ａに架かることはなく、針無し綴じ部２２０Ｂとは間隙を有し、共通路２２１ａ内における針無し綴じ部２２０Ｂの移動を阻害することがない。  
【００６５】
このように、ＦＦＣ１及びＦＦＣ２を移動部２２３及び移動部２２５から案内部２２１に対してそれぞれ異なる方向に引き出して制御基板に接続することで、案内部２２１の共通する移動経路である共通路２２１ａを移動する針有り綴じ部２２０Ａ及び針無し綴じ部２２０Ｂが移動する際のＦＦＣ１及びＦＦＣ２に掛かる負荷を緩和することができる。
特に、針有り綴じ部２２０Ａが第１待機位置（ＨＰ１）から第２待機位置（ＨＰ２）へ、或いは第２待機位置（ＨＰ２）から第１待機位置（ＨＰ１）へ回転移動した場合、ＦＦＣ１は第１固定部２２４Ａで移動部２２３の側面に固定された状態で移動方向に引き出されて第２固定部２２４Ｂとの間で共通路２２１ａに架かからない状態の湾曲部としてのループを形成し、共通路２２１ａ内での針無し綴じ部２２０Ｂの移動を阻害することがない。
【符号の説明】
【００６６】
１００・・・画像形成システム  
１・・・画像形成装置
１０・・・画像形成部
１３・・・感光体ユニット
１４・・・現像装置
１５・・・転写装置
１６・・・定着装置
２０・・・給紙装置
３０・・・操作表示部
４０・・・画像処理部
５０・・・システム制御装置
２・・・記録材処理装置
９０・・・搬送装置
２００・・・後処理装置
２２０・・・綴じ処理機構
２２０Ａ・・・針有り綴じ部
２２３・・・移動部
２２０Ｂ・・・針無し綴じ部
２２５・・・移動部
ＦＣＣ１、ＦＣＣ２・・・フレキシブルフラットケーブル  
【図１】
2020031163.tif 000003
【図２】
2020031163.tif 000004
【図３】
2020031163.tif 000005
【図４】
2020031163.tif 000006
【図５】
2020031163.tif 000007
【図６】
2020031163.tif 000008
【図７】
2020031163.tif 000009
【図８】
2020031163.tif 000010
【図９】
2020031163.tif 000011
【図１０】
2020031163.tif 000012